(57)【特許請求の範囲】
【請求項１】
屈曲性を有するフレキシブルフラットケーブルと、該フレキシブルフラットケーブルの端末に設けられるコネクタとを備えた配索部材であって，
前記フレキシブルフラットケーブルは，
断面形状が長方形状で該フレキシブルフラットケーブルの幅方向に広い電力供給用の広幅導体と、
前記広幅導体の厚み方向の表裏面のそれぞれに密着し、前記広幅導体の幅サイズより広い幅サイズを有する絶縁性のあるラミネートフィルム層とを
備え，
前記フレキシブルフラットケーブルの両端末のそれぞれにおいて、前記広幅導体が、前記ラミネートフィルム層の端部から所定の長さ露出すると共に、前記ラミネートフィルム層の端部近傍には、幅方向両側端のそれぞれに凹状に切り欠いてなる被係止部を形成してなり，
前記コネクタは，
導電性を有する金属板によって形成され、一端に弾性を有する略逆ヘ字状の弾性接触片を形成し、他端にタブ状に形成するタブ形成部を形成するとともに、中間に前記弾性接触片と前記タブ形成部とを連続する連続部を形成してなり、一端が前記フレキシブルフラットケーブルの前記端末に対して電気的に接続され他端が接続相手となる相手側コネクタの端子に接続される接続端子と、
一端に挿入口を有し前記接続端子の一端が突出収容される端末収容部と、他端にコネクタ挿入口を有し前記接続端子の他端が突出収容されるコネクタ接続部と、前記端末収容部と前記コネクタ接続部との間に形成され隔壁として機能する固定部とからなり、絶縁性を有する合成樹脂製の略矩形状の箱体で構成されるコネクタハウジングと、
前記コネクタハウジングの端末収容部に接して摺動する面が平坦に形成された板状の部材であって、該平坦な面の反対側の面に、前記フレキシブルフラットケーブルの端末の外観形状に合わせた凹状の収容凹部が形成されており、該収容凹部に、前記フレキシブルフラットケーブルの被係止部を係止する凸状の係止部が形成されている接続補助部材と、
を備え、前記接続端子の中間の連続する連続部を、前記コネクタハウジングの固定部に一体成形又は圧入して固定したことを特徴とする配索部材。
【請求項２】
前記フレキシブルフラットケーブルの前記広幅導体の厚み方向の表裏面のそれぞれに密着する絶縁性のある前記ラミネートフィルム層は，
塩化ビニルフィルムとポリエチレンテレフタレートフィルムを合わせて熱ラミネートロールで挟み込んで加熱接着してなり、
前記広幅導体側の内側に塩化ビニルフィルム、外側にポリエチレンテレフタレートフィルムがくるように配置したものである請求項１に記載の配索部材。
【請求項３】
前記配索部材は，
前記フレキシブルフラットケーブルを、該フレキシブルフラットケーブルの厚み方向に複数積層すると共に、前記コネクタを、該コネクタの厚み方向に、前記フレキシブルフラットケーブルの数と同じ数だけ積層して構成したものである請求項１又は請求項２に記載の配索部材。
【請求項４】
屈曲性を有するフレキシブルフラットケーブルを複数、該フレキシブルフラットケーブルの厚み方向に積層して形成される積層フレキシブルフラットケーブルと、該積層フレキシブルフラットケーブルの端末に設けられる一体型コネクタとを備えた積層配索部材であって，
前記積層フレキシブルフラットケーブルの各フレキシブルフラットケーブルは、
断面形状が長方形状で該フレキシブルフラットケーブルの幅方向に広い電力供給用の広幅導体と、
前記広幅導体の厚み方向の表裏面のそれぞれに密着し、前記広幅導体の幅サイズより広い幅サイズを有する絶縁性のあるラミネートフィルム層とを
備え，
前記フレキシブルフラットケーブルの両端末のそれぞれにおいて、前記広幅導体が、前記ラミネートフィルム層の端部から所定の長さ露出すると共に、前記ラミネートフィルム層の端部近傍には、幅方向両側端のそれぞれに凹状に切り欠いてなる被係止部を形成してなり，
前記一体型コネクタは、
導電性を有する金属板によって形成され、一端に弾性を有する略逆ヘ字状の弾性接触片を形成し、他端にタブ状に形成するタブ形成部を形成するとともに、中間に前記弾性接触片と前記タブ形成部とを連続する連続部を形成してなり、一端が前記フレキシブルフラットケーブルの端末に対して電気的に接続され他端が接続相手となる相手側コネクタの端子に接続される複数の接続端子と、
一端に挿入口を有し前記複数の接続端子のそれぞれの一端が突出収容される複数の端末収容部と、他端にコネクタ挿入口を有し前記複数の接続端子のそれぞれの他端が突出収容され前記相手側コネクタが各々接続される複数のコネクタ接続部と、前記複数の端末収容部と前記複数のコネクタ接続部とのそれぞれの間に形成され隔壁として機能する複数の固定部とからなり、絶縁性を有する合成樹脂製の略矩形状の箱体で構成される一体型コネクタハウジングと、
前記積層フレキシブルフラットケーブルを構成する複数のフレキシブルフラットケーブルのそれぞれに対応して設けられ、前記一体型コネクタハウジングのそれぞれの端末収容部に接して摺動する面が平坦に形成された板状の部材であって、該平坦な面の反対側の面に、対応するフレキシブルフラットケーブルの端末を収容するために、前記対応するフレキシブルフラットケーブルの端末の外観形状に合わせた凹状の収容凹部が形成されており、前記収容凹部には、前記対応するフレキシブルフラットケーブルの被係止部を係止する凸状の係止部が形成されている複数の接続補助部材と、
を備え、前記複数の接続端子のそれぞれの中間の連続する連続部を、前記一体型コネクタハウジングのそれぞれの固定部に一体成形又は圧入して固定したことを特徴とする積層配索部材。
【請求項５】
前記積層フレキシブルフラットケーブルの前記広幅導体の厚み方向の表裏面のそれぞれに密着する絶縁性のある前記ラミネートフィルム層は，
塩化ビニルフィルムとポリエチレンテレフタレートフィルムを合わせて熱ラミネートロールで挟み込んで加熱接着してなり、
前記広幅導体側の内側に塩化ビニルフィルム、外側にポリエチレンテレフタレートフィルムがくるように配置したものである請求項４に記載の積層配索部材。
【発明の詳細な説明】
【０００１  】
【発明の属する技術分野】
本発明は、例えば固定部材とその固定部材に対して相対的に移動する移動部材との間に配索される配索部材及び積層配索部材に関する。
【０００２  】
【従来の技術】
屈曲可能な配索部材としては図７に示されるようなものが知られている。その図７に示された配索部材１は、大きな電流を流すことができるものであって、本体部２と本体部２の長手方向両端に設けられたかしめ板３、３とを備えて構成されている。本体部２は、帯状をなすように細線状の銅線を編んだ網状の銅網を多数積層して構成されており、かしめ板３、３は、それぞれ図示しない複数のかしめ軸を本体部２の積層方向にかしめて本体部２をその両端において束ねることができるようになっている。尚、かしめ板３、３は、他との接続部分としても機能する。
【０００３  】
【発明が解決しようとする課題】
ところで上記従来の配索部材１にあっては、本体部２の構成及び構造からも分かるように、屈曲可能、且つ電流容量が得られ大きな電流を流すことができるようになっている。しかしながら、このような配索部材１を複数並べて複数回路、他と接続させる場合には、本体部２の幅方向に十分なスペースを確保する必要があるという問題点があった。
【０００４  】
本発明は、上述した事情に鑑みてなされるもので、屈曲可能であるのは勿論のこと、狭いスペースの中で大電流・複数回路の接続が可能な配索部材及び積層配索部材を提供することを課題とする。
【０００５】
【課題を解決するための手段】
上記課題を解決するためなされた請求項１記載の本発明の配索部材は、屈曲性を有するフレキシブルフラットケーブルと、該フレキシブルフラットケーブルの端末に設けられるコネクタとを備えた配索部材であって，前記フレキシブルフラットケーブルは，断面形状が長方形状で該フレキシブルフラットケーブルの幅方向に広い電力供給用の広幅導体と、前記広幅導体の厚み方向の表裏面のそれぞれに密着し、前記広幅導体の幅サイズより広い幅サイズを有する絶縁性のあるラミネートフィルム層とを備え，前記フレキシブルフラットケーブルの両端末のそれぞれにおいて、前記広幅導体が、前記ラミネートフィルム層の端部から所定の長さ露出すると共に、前記ラミネートフィルム層の端部近傍には、幅方向両側端のそれぞれに凹状に切り欠いてなる被係止部を形成してなり，前記コネクタは，導電性を有する金属板によって形成され、一端に弾性を有する略逆ヘ字状の弾性接触片を形成し、他端にタブ状に形成するタブ形成部を形成するとともに、中間に前記弾性接触片と前記タブ形成部とを連続する連続部を形成してなり、一端が前記フレキシブルフラットケーブルの前記端末に対して電気的に接続され他端が接続相手となる相手側コネクタの端子に接続される接続端子と、一端に挿入口を有し前記接続端子の一端が突出収容される端末収容部と、他端にコネクタ挿入口を有し前記接続端子の他端が突出収容されるコネクタ接続部と、前記端末収容部と前記コネクタ接続部との間に形成され隔壁として機能する固定部とからなり、絶縁性を有する合成樹脂製の略矩形状の箱体で構成されるコネクタハウジングと、前記コネクタハウジングの端末収容部に接して摺動する面が平坦に形成された板状の部材であって、該平坦な面の反対側の面に、前記フレキシブルフラットケーブルの端末の外観形状に合わせた凹状の収容凹部が形成されており、該収容凹部に、前記フレキシブルフラットケーブルの被係止部を係止する凸状の係止部が形成されている接続補助部材と、を備え、前記接続端子の中間の連続する連続部を、前記コネクタハウジングの固定部に一体成形又は圧入して固定したことを特徴としている。
【０００６】
請求項２記載の本発明の配索部材は、請求項１に記載の配索部材において、前記フレキシブルフラットケーブルの前記広幅導体の厚み方向の表裏面のそれぞれに密着する絶縁性のある前記ラミネートフィルム層を，塩化ビニルフィルムとポリエチレンテレフタレートフィルムを合わせて熱ラミネートロールで挟み込んで加熱接着してなり、前記広幅導体側の内側に塩化ビニルフィルム、外側にポリエチレンテレフタレートフィルムがくるように配置したことを特徴としている。
【０００７】
上記課題を解決するためなされた請求項３記載の本発明の配索部材は、請求項１又は請求項２に記載の配索部材において、前記フレキシブルフラットケーブルを、該フレキシブルフラットケーブルの厚み方向に複数積層すると共に、前記コネクタを、該コネクタの厚み方向に、前記フレキシブルフラットケーブルの数と同じ数だけ積層してなることを特徴としている。
【０００８】
上記課題を解決するためなされた請求項４記載の本発明の積層配索部材は、屈曲性を有するフレキシブルフラットケーブルを複数、該フレキシブルフラットケーブルの厚み方向に積層して形成される積層フレキシブルフラットケーブルと、該積層フレキシブルフラットケーブルの端末に設けられる一体型コネクタとを備えた積層配索部材であって，前記積層フレキシブルフラットケーブルの各フレキシブルフラットケーブルは、断面形状が長方形状で該フレキシブルフラットケーブルの幅方向に広い電力供給用の広幅導体と、前記広幅導体の厚み方向の表裏面のそれぞれに密着し、前記広幅導体の幅サイズより広い幅サイズを有する絶縁性のあるラミネートフィルム層とを備え，前記フレキシブルフラットケーブルの両端末のそれぞれにおいて、前記広幅導体が、前記ラミネートフィルム層の端部から所定の長さ露出すると共に、前記ラミネートフィルム層の端部近傍には、幅方向両側端のそれぞれに凹状に切り欠いてなる被係止部を形成してなり，前記一体型コネクタは、導電性を有する金属板によって形成され、一端に弾性を有する略逆ヘ字状の弾性接触片を形成し、他端にタブ状に形成するタブ形成部を形成するとともに、中間に前記弾性接触片と前記タブ形成部とを連続する連続部を形成してなり、一端が前記フレキシブルフラットケーブルの端末に対して電気的に接続され他端が接続相手となる相手側コネクタの端子に接続される複数の接続端子と、一端に挿入口を有し前記複数の接続端子のそれぞれの一端が突出収容される複数の端末収容部と、他端にコネクタ挿入口を有し前記複数の接続端子のそれぞれの他端が突出収容され前記相手側コネクタが各々接続される複数のコネクタ接続部と、前記複数の端末収容部と前記複数のコネクタ接続部とのそれぞれの間に形成され隔壁として機能する複数の固定部とからなり、絶縁性を有する合成樹脂製の略矩形状の箱体で構成される一体型コネクタハウジングと、前記積層フレキシブルフラットケーブルを構成する複数のフレキシブルフラットケーブルのそれぞれに対応して設けられ、前記一体型コネクタハウジングのそれぞれの端末収容部に接して摺動する面が平坦に形成された板状の部材であって、該平坦な面の反対側の面に、対応するフレキシブルフラットケーブルの端末を収容するために、前記対応するフレキシブルフラットケーブルの端末の外観形状に合わせた凹状の収容凹部が形成されており、前記収容凹部には、前記対応するフレキシブルフラットケーブルの被係止部を係止する凸状の係止部が形成されている複数の接続補助部材と、を備え、前記複数の接続端子のそれぞれの中間の連続する連続部を、前記一体型コネクタハウジングのそれぞれの固定部に一体成形又は圧入して固定したことを特徴としている。
【０００９】
請求項５記載の本発明の積層配索部材は、請求項４に記載の積層配索部材において、前記積層フレキシブルフラットケーブルの前記広幅導体の厚み方向の表裏面のそれぞれに密着する絶縁性のある前記ラミネートフィルム層を，塩化ビニルフィルムとポリエチレンテレフタレートフィルムを合わせて熱ラミネートロールで挟み込んで加熱接着してなり、前記広幅導体側の内側に塩化ビニルフィルム、外側にポリエチレンテレフタレートフィルムがくるように配置したことを特徴としている。
【００１０  】
請求項１に記載された本発明によれば、フレキシブルフラットケーブルの幅の範囲内に、広幅導体のみ又は広幅導体を含む複数の回路が設けられる。また、その広幅導体には大電流が流される。そして、コネクタを介して他との接続がなされる。配索部材は屈曲させることも可能である。
【００１１  】
請求項２に記載された本発明によれば、フレキシブルフラットケーブルの端末が、接続端子の一端に対して、遊びの範囲内でフレキシブルフラットケーブルの長手方向に微摺動可能になる。遊びは、フレキシブルフラットケーブルを積層させて積層配索部材を形成する場合に有効である。すなわち、屈曲半径のぶれ等でフレキシブルフラットケーブル同士に仮にズレが生じた場合でも、遊びの範囲内でフレキシブルフラットケーブルが微摺動し、そのズレを吸収する。
【００１２  】
請求項３に記載された本発明によれば、請求項１又は請求項２に記載の配索部材を、その配索部材を構成するフレキシブルフラットケーブルの厚み方向に複数積層することから、フレキシブルフラットケーブルの幅を広げなくても狭いスペースの中により多くの回路が設けられる。
【００１３  】
請求項４に記載された本発明によれば、積層フレキシブルフラットケーブルのうちの少なくとも一のフレキシブルフラットケーブルの幅の範囲内に、広幅導体のみ又は広幅導体を含む複数の回路が設けられる。また、フレキシブルフラットケーブルをその厚み方向に複数積層することから、フレキシブルフラットケーブルの幅を広げなくても狭いスペースの中により多くの回路が設けられる。そして、広幅導体には大電流が流される。また、一体型コネクタを介して他との接続がなされる。積層配索部材は屈曲させることも可能である。
【００１４  】
請求項５に記載された本発明によれば、フレキシブルフラットケーブルの端末が、接続端子の一端に対して、遊びの範囲内でフレキシブルフラットケーブルの長手方向に微摺動可能になる。屈曲半径のぶれ等でフレキシブルフラットケーブル同士に仮にズレが生じた場合でも、遊びの範囲内でフレキシブルフラットケーブルが微摺動し、そのズレを吸収する。
【００１５  】
【発明の実施の形態】
以下、図面を参照して本発明の実施の形態を説明する。
図１は本発明の配索部材の一実施の形態を示す外観斜視図である。また、図２は図１の要部の分解斜視図、図３は図１の要部の断面図である。
【００１６  】
図１において、引用符号１１は例えばワンボックスタイプの自動車におけるスライドドアの給電に用いられる配索部材を示している。その配索部材１１は、屈曲性を有する適宜長さのフレキシブルフラットケーブル１２と、フレキシブルフラットケーブル１２の両端末に設けられるコネクタ１３、１３とを備えて構成されている。
【００１７  】
先ず、図２又は図３を参照しながら上記各構成部材について詳細に説明すると、上記フレキシブルフラットケーブル１２は、銅製の広幅導体１４と、その広幅導体１４の厚み方向の表裏面にそれぞれ密着する絶縁性のあるラミネートフィルム層１５、１５とを備えて構成されている。また、フレキシブルフラットケーブル１２の両端末において、広幅導体１４がそれぞれ所定の長さで露出するように形成されている。
【００１８  】
その広幅導体１４は、断面形状が長方形であって幅方向となる長辺が短辺に対して十分に長く（幅方向に広い）且つ電気容量を必要とするだけ確保することができるように形成されている。
【００１９  】
また、ラミネートフィルム層１５、１５は、例えば広幅導体１４側となる内側が塩化ビニルフィルム、外側がポリエチレンテレフタレートフィルムによって形成されている。そして、ラミネートフィルム層１５、１５の上記幅方向の両端部には、それぞれ被係止部１６、１６が形成されている。その被係止部１６、１６は、フレキシブルフラットケーブル１２の両端末側にそれぞれ形成されており、本形態においては凹状に切り欠いたように形成されている。
【００２０  】
尚、被係止部１６、１６の幅（フレキシブルフラットケーブル１２の長手方向の幅。長手方向：図２中の厚み方向及び幅方向に直交する方向に相当）を、後述する係止部３０、３０の幅よりも若干広く形成（上記長手方向に遊びを持たせる）することが好ましいものとする。フレキシブルフラットケーブル１２を積層させ摺動屈曲させた場合に効果を奏することになる。すなわち、積層させたフレキシブルフラットケーブル１２の屈曲半径のぶれ等でフレキシブルフラットケーブル１２同士に仮にズレが生じた場合でも、上記遊びの範囲内でフレキシブルフラットケーブル１２が微摺動し、そのズレを吸収することができるようになる。ズレの吸収の際には、後述する弾性接触片２１がフレキシブルフラットケーブル１２に対しての微摺動接点になる。
【００２１  】
フレキシブルフラットケーブル１２の製造方法としては、特に図示しないが次のようになっている。すなわち、先ず、導体コイルから広幅導体１４を送り出し、次いで、上記表裏面側に配置した二組のロールから二枚の塩化ビニルフィルムと同じく二枚のポリエチレンテレフタレートフィルムをそれぞれ供給し、最後に、これらを熱ラミネートロールで挟み込んで加熱接着することにより、フレキシブルフラットケーブル１２を製造するようになっている。
【００２２  】
ここで本形態のフレキシブルフラットケーブル１２のサイズ（一例である）を説明すると、そのフレキシブルフラットケーブル１２は、厚さ約０．３ｍｍ×幅１０．０ｍｍとなっている。また、この時の広幅導体１４のサイズ（一例である）は、厚さ０．１５ｍｍ×幅８．０ｍｍとなっている。
【００２３  】
上記コネクタ１３は、導電性を有する金属板をプレス加工することにより形成された接続端子１７と、絶縁性を有する合成樹脂製のコネクタハウジング１８と、フレキシブルフラットケーブル１２を接続する際に用いられる絶縁性を有する合成樹脂製の接続補助部材１９とを備えて構成されている。
【００２４  】
その接続端子１７の一端２０には、弾性を有する略逆ヘ字状の弾性接触片２１が連成されている。また、接続端子１７の他端２２は、タブ状に形成されており、接続端子１７の中間２３がコネクタハウジング１８に固定（一体成形又は圧入により固定）されるようになっている。そして、このような接続端子１７の弾性接触片２１には、広幅導体１４の上記露出部分が接触するようになっており、接続端子１７の他端２２には、コネクタ１３の接続相手となる図示しない相手側コネクタの端子（不図示）が接続されるようになっている。尚、上記図示しない相手側コネクタとしては、車両本体側のワイヤハーネスに設けられたコネクタや、スライドドアに配索されたワイヤハーネスのコネクタが挙げられる。
【００２５  】
コネクタハウジング１８は略矩形状の箱体であって、端末収容部２４とコネクタ接続部２５と固定部２６とが形成されている。その端末収容部２４には、接続補助部材１９と共にフレキシブルフラットケーブル１２の端末が挿入されるようになっている。また、その端末収容部２４の内部には、接続端子１７の一端２０が突出するようにもなっている。端末収容部２４は、コネクタハウジング１８の一端を介して形成されており、挿入口２７を有している。尚、特に図示しないが、接続補助部材１９に対するロック手段が形成されている。
【００２６  】
コネクタ接続部２５には、上記図示しない相手側コネクタを構成するハウジング（不図示）が挿入されるようになっている。また、そのコネクタ接続部２５の内部には、接続端子１７の他端２２が突出するようにもなっている。コネクタ接続部２５は、コネクタハウジング１８の他端を介して形成されており、コネクタ挿入口２８を有している。尚、特に図示しないが、上記図示しない相手側コネクタに対するロック手段が形成されている。
【００２７  】
固定部２６は、接続端子１７の中間２３を固定する部分であって、端末収容部２４とコネクタ接続部２５との間に形成された隔壁としても機能するようになっている。また、接続補助部材１９や上記図示しない相手側コネクタの挿入規制をすることができるようにもなっている。
【００２８  】
接続補助部材１９は、端末収容部２４を摺動する面が平坦に形成された板状の部材であって、その平坦な面の反対側の面には、フレキシブルフラットケーブル１２の端末の外観形状に合わせた凹状の収容凹部２９が形成されている。収容凹部２９には、フレキシブルフラットケーブル１２の被係止部１６、１６を係止する凸状の係止部３０、３０が形成されている。
【００２９  】
次に、上記構成において、配索部材１１の組み付けについて説明すると、その配索部材１１は、予め端末加工がなされたフレキシブルフラットケーブル１２の両端末をそれぞれ接続補助部材１９の収容凹部２９に収容するとともに、そのフレキシブルフラットケーブル１２の端末を収容した接続補助部材１９をコネクタ１３の端末収容部２４に収容させることにより組み付けられる。
【００３０  】
尚、組み付けの際に、フレキシブルフラットケーブル１２の端末に露出した広幅導体１４と、端末収容部２４内に位置する弾性接触片２１とが接触し、電気的な接続がなされるようになる。
【００３１  】
以上、配索部材１１は、コネクタ１３を介して上記図示しない相手側コネクタとそれぞれ接続され、上記車体本体から上記スライドドアへ給電を行う送電体として機能する（大電流が流れる）。また、上記スライドドアの開閉操作に伴いフレキシブルフラットケーブル１２の屈曲位置が移動する（フレキシブルフラットケーブル１２の屈曲状態に関しては図１参照）。
【００３２  】
続いて、図４を参照しながら積層配索部材４１について説明する。その積層配索部材４１は、上記配索部材１１を、フレキシブルフラットケーブル１２の厚み方向に複数積層してなるもので、フレキシブルフラットケーブル１２の幅を広げなくても狭いスペースの中により多くの回路を設けることができるようになっている。もう少し詳しく説明すると、フレキシブルフラットケーブル１２同士、及びコネクタ１３同士が上記方向に積層されて構成されている。
【００３３  】
尚、コネクタハウジング１８に例えばフック等の引っ掛ける部分を形成すれば、コネクタ１３同士が一体化されるようになる。また、フレキシブルフラットケーブル１２同士は摺動しあいながら屈曲する。一方、フレキシブルフラットケーブル１２を複数積層（例えば二層〜五層程度）することにより、積層フレキシブルフラットケーブル４２が形成される。また、コネクタ１３を複数積層することにより、分離可能な積層コネクタ４３が形成される。
【００３４  】
続いてさらに、図５を参照しながら上記とは別の積層配索部材５１について説明する（上記と基本的に同じ構成部材については同一の符号を付してその説明を省略するものとする）。
【００３５  】
積層配索部材５１は、フレキシブルフラットケーブル１２を複数積層して形成した積層フレキシブルフラットケーブル５２（フレキシブルフラットケーブル１２同士が摺動しあいながら屈曲することができるものとする。積層数は例えば二層〜五層程度であるものとする）と、その積層フレキシブルフラットケーブル５２の端末に設けられる一体型コネクタ５３とを備えて構成されている。
【００３６  】
一体型コネクタ５３は、複数の接続端子１７と、絶縁性を有する合成樹脂製の一体型コネクタハウジング５４と、複数の接続補助部材１９とを有しており、その一体型コネクタハウジング５４には、上記端末収容部２４（図３参照）と同じ複数の端末収容部（不図示）と、上記コネクタ接続部２５（図３参照）と同じ複数のコネクタ接続部５５と、上記固定部２６（図３参照）と同じ複数の固定部（不図示）とが形成されている。
【００３７  】
以上のような積層配索部材５１も上記積層配索部材４１（図４参照）と同様に、フレキシブルフラットケーブル１２の幅を広げなくても狭いスペースの中により多くの回路を設けることができるようになっている。
【００３８  】
その他、本発明は本発明の主旨を変えない範囲で種々変更実施可能なことは勿論である。すなわち、フレキシブルフラットケーブル１２に限らず図６に示されるようなフレキシブルフラットケーブル６１を用いて、又はこれらの組み合わせを用いてもよいものとする（フレキシブルフラットケーブル６１に対応するコネクタに関しては不図示。接続端子を回路数に応じてコネクタハウジングに配置したりすればよい）。
【００３９  】
上記フレキシブルフラットケーブル６１は、例えば上記フレキシブルフラットケーブル１２（図２参照）と同じ幅サイズで形成されており、給電用の広幅導体６２と信号用の既知の平角導体６３とラミネートフィルム層１５、１５とを備えて構成されている（広幅導体６２と平角導体６３の数は任意とする）。
【００４０  】
尚、以上はスライドドアの給電用として説明したが、これに限られるものではなくドアの開閉部分等にも用いることができるものとする。また、固定部材とその固定部材に対して相対的に移動する移動部材との間の給電用としても用いることができるものとする。
【００４１  】
【発明の効果】
以上説明したように、請求項１に記載された本発明によれば、フレキシブルフラットケーブルの幅の範囲内に、大電流が流れる広幅導体のみ、又はその広幅導体を含む複数の回路を設けることができ、また、コネクタを介して他との接続をすることができ、さらには、屈曲させることができるという配索部材を提供することができる。
【００４２  】
請求項２に記載された本発明によれば、フレキシブルフラットケーブルを積層させて積層配索部材を形成する場合に効果を奏することができる。すなわち、屈曲半径のぶれ等でフレキシブルフラットケーブル同士に仮にズレが生じた場合でも、遊びの範囲内でフレキシブルフラットケーブルが微摺動し、そのズレを吸収することができる。
【００４３  】
請求項３に記載された本発明によれば、フレキシブルフラットケーブルの幅を広げなくても狭いスペースの中により多くの回路を設けることができるという積層配索部材を提供することができる。
【００４４  】
請求項４に記載された本発明によれば、積層フレキシブルフラットケーブルのうちの少なくとも一のフレキシブルフラットケーブルの幅の範囲内に、大電流が流れる広幅導体のみ、又はその広幅導体を含む複数の回路を設けることができる。また、フレキシブルフラットケーブルをその厚み方向に複数積層することから、フレキシブルフラットケーブルの幅を広げなくても狭いスペースの中により多くの回路を設けることができる。さらに、一体型コネクタを介して他との接続をすることができる。さらにまた、屈曲させることができる、という積層配索部材を提供することができる。
【００４５  】
請求項５に記載された本発明によれば、屈曲半径のぶれ等でフレキシブルフラットケーブル同士に仮にズレが生じた場合でも、遊びの範囲内でフレキシブルフラットケーブルが微摺動し、そのズレを吸収することができる。
【図面の簡単な説明】
【図１】本発明による配索部材の一実施の形態を示す外観斜視図である。
【図２】図１の要部の分解斜視図である。
【図３】図１の要部の断面図である。
【図４】本発明による積層配索部材の一実施の形態を示す断面図である。
【図５】本発明による積層配索部材の他の一実施の形態を示す斜視図である。
【図６】フレキシブルフラットケーブルの他の例を説明するための斜視図である。
【図７】従来例の配索部材の屈曲時の外観斜視図である。
【符号の説明】
１１  配索部材
１２  フレキシブルフラットケーブル
１３  コネクタ
１４  広幅導体
１５  ラミネートフィルム層
１６  被係止部材
１７  接続端子
１８  コネクタハウジング
１９  接続補助部材
２１  弾性接触片
２４  端末収容部
２５  コネクタ接続部
２６  固定部
２９  収容凹部
３０  係止部
４１  積層配索部材
４２  積層フレキシブルフラットケーブル
４３  積層コネクタ
５１  積層配索部材
５２  積層フレキシブルフラットケーブル
５３  一体型コネクタ
５４  一体型コネクタハウジング
５５  コネクタ接続部
６１  フレキシブルフラットケーブル
【図１】
0004010529.tif 000002
【図２】
0004010529.tif 000003
【図３】
0004010529.tif 000004
【図４】
0004010529.tif 000005
【図５】
0004010529.tif 000006
【図６】
0004010529.tif 000007
【図７】
0004010529.tif 000008